(57)【要約】【課題】  被検者の情報、特に被検者名の入力において、入力文字数の上限を超過しそうな場合であっても、入力文字数の上限に収めることを可能とする医用画像診断装置を提供することを目的とする。【解決手段】  本発明の医用画像診断装置は、被検者の情報の入力を受け付ける入力部と、前記入力部で受け付けられる情報の文字数を計測する文字数計測部と、前記文字数計測部によって計測された文字数が上限を超えるか否か判定する判定部と、前記判定部が上限を超えると判定した場合に入力される情報を、上限以内の文字数の情報に変換する変換部とを備えることを特徴とする。【選択図】          図3
2017091240.tif 000002
【特許請求の範囲】
【請求項１】
被検者の情報の入力を受け付ける入力部と、
前記入力部で受け付けられる情報の文字数を計測する文字数計測部と、
前記文字数計測部によって計測された文字数が上限を超えるか否か判定する判定部と、
前記判定部が上限を超えると判定した場合に入力される情報を、上限以内の文字数の情報に変換する変換部とを備えることを特徴とする医用画像診断装置。
【請求項２】
請求項１に記載の医用画像診断装置において、
前記判定部は、前記入力部で受け付けられる情報を上限以内の文字数の情報に変換するための変換辞書を有することを特徴とする医用画像診断装置。
【請求項３】
請求項２に記載の医用画像診断装置において、
前記判定部は、前記入力部で受け付けられる情報の要素毎に前記変換辞書を有することを特徴とする医用画像診断装置。
【請求項４】
請求項１に記載の医用画像診断装置において、
前記入力部は、入力済み文字に対応する図形と、入力中の文字に対応する図形と、入力可能な残り文字数に対応する図形を表示することを特徴とする医用画像診断装置。
【発明の詳細な説明】
【技術分野】
【０００１】
本発明は、X線CT装置、MRI装置、超音波装置などの医用画像診断装置に係り、被検者名等の情報を入力する操作を支援する技術に関する。
【背景技術】
【０００２】
従来の医用画像診断装置、例えばX線CT装置は、撮影室内に配置されるスキャナ及び寝台と、操作室内に配置される画像処理装置及び操作卓を備えている。寝台上に載せられた被検者の医用画像を撮影するに先立ち、被検者の情報及び検査の情報の登録が操作卓にて行われる。被検者の情報には被検者名などがある。
【０００３】
医用画像診断装置を使用する医療施設にとって、医用画像診断装置のスループットを向上させることは医療施設を経営する上で重要なことである。医用画像診断装置のスループットを向上させるには、被検者の情報及び検査の情報の登録に係る入力操作が円滑にできることが有効である。医用画像診断装置における入力操作では、DICOM(Digital Imaging and Communication in Medicine)規格の制限や表示画面サイズの制限により、入力可能な文字数に上限がある。入力文字数に上限のある装置を使用する際、操作者は、入力操作中にあと何文字入力できるか分からなくなり、入力しようとした文字が入力できずに、入力操作をやり直さなければならない場合がある。
【０００４】
そこで特許文献1では、設定可能な残り文字数を視認しやすくするために、設定可能な残りの文字数を数字態様で表示するカーソルを次の文字入力位置に表示するようにしている。
【先行技術文献】
【特許文献】
【０００５】
【特許文献１】特開2009-266072号公報
【発明の概要】
【発明が解決しようとする課題】
【０００６】
しかしながら、特許文献1の手法により設定可能な残り文字数を操作者が把握できたとしても、入力文字数の上限の超過を必ず防止できるとは限らず、上限を超過した場合、入力操作をやり直さなければならず、医用画像診断装置のスループットを低下させることになる。
【０００７】
そこで本発明の目的は、被検者の情報、特に被検者名の入力において、入力文字数の上限を超過しそうな場合であっても、入力文字数の上限に収めることを可能とする医用画像診断装置を提供することである。
【課題を解決するための手段】
【０００８】
上記目的を達成するために、本発明は、入力される被検者の情報の文字数が上限を超過すると判断される場合に、入力される情報を上限以内の文字数の情報に変換することを特徴とする。
【０００９】
より具体的には、被検者の情報の入力を受け付ける入力部と、前記入力部で受け付けられる情報の文字数を計測する文字数計測部と、前記文字数計測部によって計測された文字数が上限を超えるか否か判定する判定部と、前記判定部が上限を超えると判定した場合に入力される情報を、上限以内の文字数の情報に変換する変換部とを備えることを特徴とする医用画像診断装置である。
【発明の効果】
【００１０】
本発明によれば、被検者の情報、特に被検者名の入力において、入力文字数が上限超過となりそうな場合であっても、入力文字数の上限に収めることを可能とする医用画像診断装置を提供することができる。
【図面の簡単な説明】
【００１１】
【図１】本発明に係る医用画像診断装置の一例であるX線CT装置の構成を説明するための図
【図２】本発明に係る被検者登録画面の一例を表す図
【図３】第一の実施形態の処理の流れを説明するための図
【図４】上限を超過している被検者名を、上限に収められる文字数の情報に変換する例を示す図
【図５】上限を超過している被検者名を、上限に収められる文字数の情報に変換する他の例を示す図
【図６】上限を超過している被検者名を、上限に収められる文字数の情報に変換する他の例を示す図
【図７】各要素に対応する変換辞書について説明するための図
【図８】第二の実施形態の残り入力可能文字数に対応する図形の一例を表す図
【図９】第二の実施形態の残り入力可能文字数に対応する図形を複数欄に対応させた一例を表す図
【図１０】第二の実施形態の残り入力可能文字数に対応する図形を複数欄に対応させた他の例を表す図
【発明を実施するための形態】
【００１２】
以下、添付図面に従って本発明に係る医用画像診断装置の好ましい実施形態について説明する。なお、以下の説明及び添付図面において、同一の機能構成を有する構成要素については、同一の符号を付することにより重複説明を省略する。
【００１３】
[第一の実施形態]
図1を用いて、本実施形態の医用画像診断装置の一例であるX線CT装置の概略を説明する。なお、医用画像診断装置はX線CT装置に限らず、X線画像診断装置やMRI装置、PETスキャナであっても良い。
【００１４】
図1に示すようにX線CT装置1は、スキャンガントリ部100と操作ユニット120を備える。スキャンガントリ部100は、X線管装置101と、回転円盤102と、コリメータ103と、X線検出器106と、データ収集装置107と、寝台装置105と、ガントリ制御装置108と、寝台制御装置109と、X線制御装置110を備えている。
【００１５】
X線管装置101は寝台装置105上に載置された被検者にX線を照射する装置である。コリメータ103はX線管装置101から照射されるX線の放射範囲を制限する装置である。回転円盤102は、寝台装置105上に載置された被検者が入る開口部104を備えるとともに、X線管装置101とX線検出器106を搭載し、X線管装置101とX線検出器106を被検者の周囲で回転させるものである。
【００１６】
X線検出器106は、X線管装置101と対向配置され被検者を透過したX線を検出することにより透過X線の空間的な分布を計測する装置であり、多数の検出素子を回転円盤102の回転方向に1次元に配列したもの、あるいは多数の検出素子を回転円盤102の回転方向と回転軸方向との2次元に配列したものである。データ収集装置107は、X線検出器106で検出されたX線量をデジタルデータとして収集する装置である。
【００１７】
ガントリ制御装置108は回転円盤102の回転及び傾斜を制御する装置である。寝台制御装置109は、寝台装置105の上下前後左右動を制御する装置である。なお、上下前後左右の各方向は、図1中に示した方向であり、以降の説明ではそれぞれをY方向、Z方向、X方向とも呼ぶ。X線制御装置110はX線管装置101に入力される電力を制御する装置である。
【００１８】
操作ユニット120は、入力装置121と、画像処理装置122と、表示装置125と、記憶装置123と、システム制御装置124を備えている。
【００１９】
入力装置121は、被検者氏名、検査日時、撮影条件等を入力するための装置であり、具体的にはキーボードやポインティングデバイス、タッチパネル等である。画像処理装置122は、データ収集装置107から送出される計測データを演算処理して断層画像の再構成を行う装置である。
【００２０】
表示装置125は、画像処理装置122で作成された断層画像等を表示する装置であり、具体的にはCRT(Cathode-Ray Tube)や液晶ディスプレイ等である。なお、入力装置121と表示装置125とは、一体的に構成されたタッチパネル・ディスプレイであっても良い。記憶装置123は、データ収集装置107で収集したデータ及び画像処理装置122で作成された断層画像の画像データ等を記憶する装置であり、具体的にはHDD(Hard Disk Drive)等である。
【００２１】
システム制御装置124は、これらの装置及びガントリ制御装置108と寝台制御装置109とX線制御装置110を制御する装置である。またシステム制御装置124は、後述する処理の流れを実行しても良い。
【００２２】
入力装置121から入力された撮影条件、特にX線管電圧やX線管電流等に基づきX線制御装置110がX線管装置101に入力される電力を制御することにより、X線管装置101は撮影条件に応じたX線を被検者に照射する。
【００２３】
X線検出器106は、X線管装置101から照射され被検者を透過したX線を多数のX線検出素子で検出し、透過X線の分布を計測する。回転円盤102はガントリ制御装置108により制御され、入力装置121から入力された撮影条件、特に回転速度等に基づいて回転する。寝台装置105は寝台制御装置109によって制御され、入力装置121から入力された撮影条件、特にらせんピッチ等に基づいて動作する。
【００２４】
X線管装置101からのX線照射とX線検出器106による透過X線分布の計測が回転円盤102の回転とともに繰り返されることにより、様々な角度からの投影データが取得される。投影データは、各角度を表すビュー(View)と、X線検出器106の検出素子番号であるチャネル(ch)番号及び列番号と対応付けられる。取得された様々な角度からの投影データは画像処理装置122に送信される。画像処理装置122は送信された様々な角度からの投影データを例えば逆投影処理することにより断層画像を再構成する。再構成して得られた断層画像は表示装置125に表示される。
【００２５】
図2に、表示装置125に表示される被検者登録画面の一例を示す。被検者登録画面は、被検者情報入力欄201と撮影情報設定欄202を備える。被検者情報入力欄201は、撮影対象である被検者に関する情報を入力するときに用いられる欄であり、被検者IDや、被検者名、生年月日、性別が入力される。撮影情報設定欄202は、撮影条件を設定するときに用いられる欄であり、撮影対象部位や、スキャノグラムの撮影条件、本スキャンの撮影条件が入力される。
【００２６】
図3に、図2に示した被検者登録画面から被検者名を入力するときの処理の流れを示す。被検者に関する情報の中の被検者名は、DICOM規格の制限により入力可能な文字数に上限があるが、上限を超える文字数を有する被検者名である場合、被検者情報入力欄201に被検者名が収まらなくなる。そこで、以降で説明する処理の流れにより、入力される被検者名が入力文字数の上限を超過しそうな場合であっても、入力文字数の上限に収められるようにする。
【００２７】
(ステップS101)
被検者情報入力欄201への被検者名の入力が開始される。操作者は入力装置121を用いて被検者名を入力し、システム制御装置124は入力された被検者名を受け付ける。
【００２８】
(ステップS102)
システム制御装置124はステップS101で被検者情報入力欄201に入力された被検者名の文字数を入力文字数として計測する。
【００２９】
(ステップS103)
システム制御装置124は記憶装置123に記憶された入力文字数の上限である入力可能文字数を読み出す。
【００３０】
(ステップS104)
システム制御装置124はステップS102で計測された入力文字数とステップS103で読み出された入力可能文字数とを用いて入力可能残文字数を算出する。入力可能残文字数の算出には、例えば次式が用いられる。
入力可能残文字数  ＝  入力可能文字数  −  入力文字数  ・・・式(1)
【００３１】
(ステップS105)
システム制御装置124はステップS104で算出された入力可能残文字数に基づいて、入力可否判定を行う。すなわち、入力可能残文字数が0未満(マイナス値)であれば入力不可と判定されてステップS106に処理が進められ、入力可能文字数が0以上であれば入力可と判定されてステップS107に処理が進められる。
【００３２】
(ステップS106)
システム制御装置124は入力可能文字数変換の処理を行う。すなわち、上限である入力可能文字数を超過している被検者名を、上限に収められる文字数の情報に変換する。具体例を図4乃至6を用いて説明する。
【００３３】
図4は、入力可能文字数が全角5文字の欄に対して、全角6文字を有する被検者名「ヒタチタロウ」が入力されたときに場合の変換例である。この例では変換前の被検者名301である「ヒタチタロウ」が全角4文字の被検者名302である「日立太郎」に変換されることにより、被検者名が入力可能文字数に収められている。また変換前の被検者名301である「ヒタチタロウ」が半角6文字に変換されることにより、被検者名が入力可能文字数に収められるようにしても良い。
【００３４】
図5は、入力可能文字数が半角5文字の欄に対して、半角9文字を有する被検者名「Elizabeth」が入力されたときに場合の変換例である。この例では変換前の被検者名501である「Elizabeth」が半角4文字の被検者名502である「beth」に略称変換されることにより、被検者名が入力可能文字数に収められている。
【００３５】
図6は、入力可能文字数が半角3文字の欄に対して、半角9文字を有する被検者名「Elizabeth」が入力されたときに場合の変換例である。この例では変換前の被検者名701である「Elizabeth」が半角1文字の被検者名702である「E」に省略変換されることにより、被検者名が入力可能文字数に収められている。
【００３６】
図4乃至6に示した変換は、システム制御装置124が変換辞書を用いて実行する。予め作成された変換辞書は、記憶装置123に記憶され、必要に応じてシステム制御装置124によって呼び出される。変換辞書は、全角カタカナを漢字に変換するカタカナ-漢字辞書や、全角カタカナを半角カタカナに変換する全角-半角辞書、長い名前を略称に変換する略称辞書、長い名前を頭文字に変換する省略辞書、等である。
【００３７】
図7に示すように、被検者名は接頭語601、姓602、ミドルネーム603、名604、接尾語605の5つの要素を備えている。そこで、各要素に対応する変換辞書を備えるようにしても良い。図7の例では、接頭語601には接頭語用辞書(辞書A)606、姓602には姓用辞書(辞書B)607、ミドルネーム603にはミドルネーム用辞書(辞書C)608、名604には名用辞書(辞書D)609、接尾語605には接尾語用辞書(辞書E)610が対応づけられている。このように要素ごとの変換辞書を備えることにより、各要素に合った用語に変換することができる。
【００３８】
また各要素に対して複数の変換辞書を対応させておき、対応させた複数の辞書の間で優先順位を付けておいても良い。例えば、省略辞書よりも略称辞書の優先順位を上にしておくことにより、まず図5の変換が優先され、図5の変換でも上限を超過する場合に図6の変換が実行される。優先順位は操作者の目的に合うように設定されても良い。このように複数の変換辞書に対して優先順位をつけておくことにより、優先順位に沿った適切な用語に変換がなされる。
【００３９】
また複数の入力欄を備えている場合、ある一つの入力欄以外のその他の入力欄に対して、長い名前を頭文字に変換する省略辞書を適用させるようにしても良い。このようにすることにより、操作者は再入力をすることなく被検者名の入力を終了させることができる。
【００４０】
(ステップS107)
被検者情報入力欄201への被検者名の入力が終了する。システム制御装置124は入力された被検者名を記憶装置123に登録する。
【００４１】
以上の処理の流れを医用画像診断装置が実行するにより、被検者の情報、特に被検者名の入力において、入力文字数が上限超過となりそうな場合であっても、入力文字数の上限に収めることができる。また被検者の情報の要素に合った用語に変換することができる。さらに、変換辞書の優先順位を操作者の目的に合うように設定しておくことにより、入力された被検者名をより適切に変換できる。
【００４２】
[第二の実施形態]
次に第二の実施形態について説明する。第一の実施形態では、入力される被検者の情報、特に被検者名の文字数を計測して、計測された文字数が上限を超える場合は、上限以内の文字数の用語に変換することについて説明した。本実施形態では、被検者の情報、特に被検者名が入力されるときに、入力可能な文字数を図形で表示することにより、操作者の文字入力を支援する。以下、本実施形態と第一の実施形態との差異について説明し、第一の実施形態と同様の構成については説明を省略する。
【００４３】
本実施形態の処理の流れは第一の実施形態の説明に用いた図3とほぼ同じであるが、1文字入力される毎に、ステップS101〜ステップS104の処理が実行され、ステップS104において入力可能な文字数を示す図形が表示される。以下、図面を用いて入力可能な文字数を示す図形について説明する。
【００４４】
図8は、被検者名を入力する欄である被検者名入力欄801の近傍に入力可能な文字数を表す図形802を表示させた例を示す図である。なお、この例において、欄801の入力可能文字数は全角10文字である。図形802は、入力済み文字に対応する図形803、入力中の文字に対応する図形804、入力可能な残り文字数に対応する図形805を含む。図形803、804、805はそれぞれ色分けもしくはパターン分け表示されても良い。
【００４５】
このように入力済み文字と入力中の文字、入力可能な残り文字数とが区別できるような図形で表示されることにより、操作者は直感的かつ容易に残り入力可能文字数を視認することができる。
【００４６】
図9は、図8に示したような図形を複数の入力欄、例えば姓と名との2つの入力欄に対応させた例を示す図である。なお、この例において、姓と名との2つの入力欄の合計の入力可能文字数は全角10文字である。姓の入力欄に文字が入力される場面901では、入力可能な文字数を表す図形903が表示される。次に、名の入力欄に文字が入力される場面902では、既に姓の欄に入力された文字数を差し引いて、入力可能文字数に対応する図形904が表示される。
【００４７】
すなわち図形903では入力可能な残り文字数が7文字であることを示す図形が表示されるのに対し、図形904では入力可能な残り文字数が6文字であることを示す図形が表示される。このように入力欄が複数である場合でも、入力済み文字と入力中の文字、入力可能な残り文字数とが区別できるような図形で表示されることにより、操作者は直感的かつ容易に残り入力可能文字数を視認することができる。
【００４８】
図10は、複数の入力欄、例えば被検者名の5要素の入力欄に入力された文字数に対応するように図形を色分けもしくはパターン分けして表示する例を示す図である。すなわち、接頭語、姓、ミドルネーム、名、接尾語に対応する図形が異なる色もしくは異なるパターンで表示されている。複数の入力欄毎に異なる色もしくは異なるパターンの図形で表示することにより、どの欄に多くの文字が入力されているかを操作者が直感的かつ容易に視認することができる。
【００４９】
なお、本発明の医用画像診断装置は上記実施形態に限定されるものではなく、発明の要旨を逸脱しない範囲で構成要素を変形して具体化できる。
【符号の説明】
【００５０】
1  X線CT装置、100  スキャンガントリ部、101  X線管装置、102  回転円盤、103  コリメータ、104  開口部、105  寝台装置、106  X線検出器、107  データ収集装置、108  ガントリ制御装置、109  寝台制御装置、110  X線制御装置、120  操作ユニット、121  入力装置、122  画像演算装置、123  記憶装置、124  システム制御装置、125  表示装置、201  被検者情報入力欄、202  撮影情報設定欄、301、501、701  変換前の被検者名、302、502、702  変換後の被検者名、601  接頭語、602  姓、603  ミドルネーム、604  名、605  接尾語、606  接頭語用辞書(辞書A)、607  姓用辞書(辞書B)、608  ミドルネーム用辞書(辞書C)、609  名用辞書(辞書D)、610  接尾語用辞書(辞書E)、801  被検者名入力欄、802  入力可能な文字数を表す図形、803  入力済み文字に対応する図形、804  入力中の文字に対応する図形、805  入力可能な残り文字数に対応する図形、901  姓の入力欄に文字が入力される場面、902  名の入力欄に文字が入力される場面、903  入力可能な文字数を表す図形、904  入力可能文字数に対応する図形
【図１】
2017091240.tif 000003
【図２】
2017091240.tif 000004
【図３】
2017091240.tif 000005
【図４】
2017091240.tif 000006
【図５】
2017091240.tif 000007
【図６】
2017091240.tif 000008
【図７】
2017091240.tif 000009
【図８】
2017091240.tif 000010
【図９】
2017091240.tif 000011
【図１０】
2017091240.tif 000012